(57)【要約】【課題】中継器に設定される侵入者監視やその解除の状態に応じて、セキュリティーセンサによる侵入者の監視の結果を警報器で警報する無線通信式のセキュリティシステムにおいて、セキュリティーセンサの検出状態の収集動作に消費される電力を抑制すること。【解決手段】侵入者の監視及び解除が設定される中継器３の設定状態出力手段Ａが出力する、侵入者の監視及び解除の設定状態が、侵入者の監視解除状態であるときに、建物への侵入者の検出状態を無線で出力するセキュリティーセンサ２による侵入者の検出動作をスリープ手段Ｂが有効とし、その時のセキュリティーセンサ２による検出状態の無線による出力を警報器１のセキュリティー警報出力手段Ｃが受信して、セキュリティーセンサ２の検出状態に応じた侵入者警報の出力を行う。【選択図】図１
2007094770.tif 000002
【特許請求の範囲】
【請求項１】
建物への侵入者の検出状態を無線で出力するセキュリティーセンサと、侵入者の監視及び解除が設定される中継器と、前記セキュリティーセンサが無線で出力する検出状態の内容に応じて侵入者警報を出力する警報器とを、無線で接続して侵入者監視を行うセキュリティーシステムにおいて、
前記中継器に設けられ、侵入者の監視及び解除の設定状態を無線で出力する設定状態出力手段と、
前記セキュリティーセンサに設けられ、前記設定状態出力手段の出力が侵入者の監視状態であるときに前記セキュリティーセンサによる侵入者の検出動作を有効とし、前記設定状態出力手段の出力が侵入者の監視解除状態であるときに前記セキュリティーセンサによる侵入者の検出動作を無効とするスリープ手段と、
前記警報器に設けられ、前記スリープ手段により侵入者の検出動作が有効とされた前記セキュリティーセンサによる検出状態の無線による出力を、直接又は前記中継器を介して受信して、前記セキュリティーセンサの検出状態に応じた侵入者警報の出力を行うセキュリティー警報出力手段と、
を備えることを特徴とするセキュリティーシステム。
【発明の詳細な説明】
【技術分野】
【０００１】
本発明は、住宅やオフィスビル等の建物における侵入者監視に用いられるセキュリティーシステムに関する。
【背景技術】
【０００２】
建物の窓等に取り付けられるセキュリティーセンサの検出状態は、従来は有線の信号線を介して警報器側に収集していたが、近年では専ら、無線による通信で収集するケースが増えており（例えば特許文献１）、具体的には、セキュリティーセンサと警報器との無線通信を中継する中継器が、複数のセキュリティーセンサの検出状態を収集して警報器側に随時伝送する形式が採られている。
【０００３】
そのため、例えば外出に伴う侵入者監視の開始や、外出から戻ったことに伴う侵入者監視の解除は、直接又は警報器側を介して中継器に対して行われ、その設定状態に応じて中継器は、収集したセキュリティーセンサの検出状態を警報器側に無線伝送したり無線伝送せずに破棄したりしている。
【特許文献１】特開２００４−２０６５３１号公報
【発明の開示】
【発明が解決しようとする課題】
【０００４】
ところが、上述したような構成では、侵入者の監視中か否かに拘わらず中継器は常にセキュリティーセンサの検出状態を収集することから、特に中継器がバッテリ駆動である場合には、電力消費量が多くなり電池の短命化を招く要因となってしまう。
【０００５】
本発明は前記事情に鑑みなされたもので、本発明の目的は、侵入者監視やその解除が設定される中継器とセキュリティーセンサとを用いて侵入者の監視を行う無線通信式のセキュリティシステムにおいて、セキュリティーセンサの検出状態の収集動作に消費される電力を抑制することができるセキュリティーシステムを提供することにある。
【課題を解決するための手段】
【０００６】
上記目的を達成するため請求項１に記載した本発明のセキュリティーシステムは、図１の基本構成図に記載したように、建物への侵入者の検出状態を無線で出力するセキュリティーセンサ２と、侵入者の監視及び解除が設定される中継器３と、前記セキュリティーセンサ２が無線で出力する検出状態の内容に応じて侵入者警報を出力する警報器１とを、無線で接続して侵入者監視を行うセキュリティーシステムにおいて、前記中継器３に設けられ、侵入者の監視及び解除の設定状態を無線で出力する設定状態出力手段Ａと、前記セキュリティーセンサ２に設けられ、前記設定状態出力手段Ａの出力が侵入者の監視状態であるときに前記セキュリティーセンサ２による侵入者の検出動作を有効とし、前記設定状態出力手段Ａの出力が侵入者の監視解除状態であるときに前記セキュリティーセンサ２による侵入者の検出動作を無効とするスリープ手段Ｂと、前記警報器１に設けられ、前記スリープ手段Ｂにより侵入者の検出動作が有効とされた前記セキュリティーセンサ２による検出状態の無線による出力を、直接又は前記中継器３を介して受信して、前記セキュリティーセンサ２の検出状態に応じた侵入者警報の出力を行うセキュリティー警報出力手段Ｃとを備えることを特徴とする。
【発明の効果】
【０００７】
請求項１に記載した本発明のセキュリティーシステムによれば、設定状態出力手段Ａにより中継器３から無線で出力される侵入者の監視及び解除の設定状態が、侵入者の監視解除状態である間は、スリープ手段Ｂによってセキュリティーセンサ２による侵入者の検出動作が無効とされ、侵入者の監視状態である間は、スリープ手段Ｂによってセキュリティーセンサ２による侵入者の検出動作が有効とされる。
【０００８】
このため、侵入者の監視及び解除の設定状態が侵入者の監視状態である間に限って、セキュリティーセンサ２が実際に侵入者の検出動作を行うこととなり、侵入者の監視解除状態の間にはセキュリティーセンサ２が侵入者の検出動作を行わないことから、セキュリティーセンサ２の検出状態の収集動作に消費される電力を抑制して、収集に関与する装置が電池駆動であったとしてもその電池を長寿命化することができる。
【発明を実施するための最良の形態】
【０００９】
以下、本発明の実施形態について図面を参照しながら説明する。
【００１０】
図２にブロック図で示す本発明の一実施形態に係るセキュリティーシステムは、ガス漏れ警報器１（請求項中の警報器に相当。）と、窓の開閉を検出する窓センサ２（請求項中のセキュリティーセンサに相当。）と、窓センサ２の検出状態に基づいた侵入者の監視やその解除が設定される防犯中継器３（請求項中の中継器に相当。）とを含む。ガス漏れ警報器１と窓センサ２、防犯中継器３は一つの建物の異なる場所にそれぞれ設置される。
【００１１】
ここで、防犯中継器３は、不図示のリモコン等の操作によって、窓センサ２の設置された窓等からの侵入者の有無の検出を行う（侵入者監視の開始）か中止するか（侵入者監視の解除）が設定されるもので、その設定状態が変化したときに、内蔵する無線ユニット（図示せず）から窓センサ２に向けて、変化後の設定状態を示す設定状態データを送信するように構成されている。したがって、防犯中継器３は、請求項中の設定状態出力手段Ａを有していることになる。
【００１２】
窓センサ２は、例えばマグネットセンサやリードスイッチ等により、窓枠の移動、窓ガラスの破壊、あるいは、クレセントの回転を検出することで、窓の開閉を検出する従来公知のセンサ本体２１に、ガス漏れ警報器１や防犯中継器３と無線通信を行うための無線ユニット２２を加えて構成されている。
【００１３】
無線ユニット２２は、図３にブロック図で示すように、通信用高周波回路部ＲＦと変復調処理用デジタル処理回路部ＤＰと制御用マイクロコンピュータ部（以下、「マイコン部」と略記する。）μＣＯＭとをワンチップ化した集積回路ＬＳＩと、不揮発性メモリＮＶＭと、通信用高周波回路部ＲＦに接続されたアンテナＡＴと、電源としての電池Ｖとを有しており、Ａ／Ｄ変換器ＣＯＮＶと不揮発性メモリＮＶＭはマイコン部μＣＯＭに接続されている。
【００１４】
なお、不揮発性メモリＮＶＭには、ガス漏れ警報器１や防犯中継器３との無線通信において使用する自己の識別情報等が、予め登録されている。
【００１５】
ちなみに、防犯中継器３に内蔵された不図示の無線ユニットは、おおよそこの窓センサ２の無線ユニット２２と同様に構成されているが、受信機能は省略され、窓センサ２への送信専用に構成されている。
【００１６】
そして、窓センサ２の無線ユニット２２のマイコン部μＣＯＭでは、内部のＲＯＭ（図示せず）に格納された制御プログラムにしたがって、図４のフローチャートに示す処理を行う。
【００１７】
まず、防犯中継器３からの設定状態データが、アンテナＡＴ乃至通信用高周波回路部ＲＦで受信され変復調処理用デジタル処理回路部ＤＰにて復調されて入力されたか否かを確認し（ステップＳ１）、入力されていない場合は（ステップＳ１でＮ）、後述するステップＳ９に進み、入力された場合は（ステップＳ１でＹ）、入力された設定状態データが侵入者監視の監視→解除を示すものであるか否かを確認する（ステップＳ３）。
【００１８】
入力された設定状態データが侵入者監視の監視→解除を示すものである場合は（ステップＳ３でＹ）、不図示のＲＡＭに確保された有効フラグＦを「１」に設定した後（ステップＳ５）、ステップＳ１にリターンし、侵入者監視の監視→解除を示すものでない場合は（ステップＳ３でＮ）、有効フラグＦを「０」に設定した後（ステップＳ７）、ステップＳ１にリターンする。
【００１９】
また、ステップＳ１において、防犯中継器３からの設定状態データが入力されていない場合（Ｎ）に進むステップＳ９では、有効フラグＦが「０」であるか否かを確認し、「０」である場合は（ステップＳ９でＹ）、ステップＳ１にリターンする。
【００２０】
一方、有効フラグＦが「０」でない場合は（ステップＳ９でＮ）、センサ本体２１による監視対象の窓の開閉検出状態を示す検出データを、不揮発性メモリＮＶＭに登録された自己の識別情報と共に、変復調処理用デジタル処理回路部ＤＰにて変調して通信用高周波回路部ＲＦ乃至アンテナＡＴから、ガス漏れ警報器１に無線送信させた後（ステップＳ１１）、ステップＳ１にリターンする。
【００２１】
以上の説明からも明らかなように、本実施形態の窓センサ２では、図４のフローチャートにおけるステップＳ１乃至ステップＳ７が、請求項中のスリープ手段Ｂに対応する処理となっている。
【００２２】
図２に示すように、ガス漏れ警報器１は、都市ガスやプロパンガスの成分を検出するセンサによりガスを検知して警報信号を生成、出力する従来公知の警報器本体１１と、窓センサ２と無線通信を行うための無線ユニット１２を加えて構成されている。
【００２３】
警報器本体１１は、検知時に音声（警報音、警報メッセージ）により報知する機能を内蔵しており、この音声報知機能は、自身がガスの漏洩や火災の発生を検知した場合だけでなく、無線ユニット１１を介して窓センサ２から入力される検出データの内容次第によっても作動させることができる。
【００２４】
無線ユニット１１は、図３に示す窓センサ２の無線ユニット２１と同様に構成されており、不揮発性メモリＮＶＭには、ガス漏れ警報器１との無線通信において使用する自己の識別情報等が、予め登録されている。
【００２５】
そして、マイコン部μＣＯＭでは、内部のＲＯＭ（図示せず）に格納された制御プログラムにしたがって、図５のフローチャートに示す処理を行う。
【００２６】
まず、警報器本体１１がガス漏れ状態を検出したか否かを確認し（ステップＳ３１）、検出した場合は（ステップＳ３１でＹ）、ガス漏れを検出したことを音声出力により報知した後（ステップＳ３３）、ステップＳ３１にリターンする。
【００２７】
一方、ガス漏れ状態を検出していない場合は（ステップＳ３１でＮ）、窓センサ２からの検出データが、アンテナＡＴ乃至通信用高周波回路部ＲＦで受信され変復調処理用デジタル処理回路部ＤＰにて復調されて入力されたか否かを確認し（ステップＳ３５）、入力されていない場合は（ステップＳ３５でＮ）、ステップＳ３１にリターンする。
【００２８】
これに対して、窓センサ２からの検出データが入力された場合は（ステップＳ３５でＹ）、入力された検出データの内容が窓センサ２の設置箇所からの侵入者があることを示す内容であるか否かを確認し（ステップＳ３７）、窓センサ２の設置箇所からの侵入者があることを示す内容でない場合は（ステップＳ３７でＮ）、ステップＳ３１にリターンする。
【００２９】
一方、入力された検出データの内容が窓センサ２の設置箇所からの侵入者があることを示す内容である場合は（ステップＳ３７でＹ）、窓センサ２の設置箇所からの侵入者があることを音声出力により報知した後（ステップＳ３９）、ステップＳ３１にリターンする。
【００３０】
以上の説明からも明らかなように、本実施形態のガス漏れ警報器１では、図５のフローチャートにおけるステップＳ３５乃至ステップＳ３９が、請求項中のセキュリティー警報出力手段Ｃに対応する処理となっている。
【００３１】
次に、上述のように構成された本実施形態のセキュリティーシステムの、特に、窓センサ２のセンサ本体２１による検出結果に応じた警報に関する動作（作用）について説明する。
【００３２】
まず、不図示のリモコンによって、窓センサ２の設置された窓等からの侵入者の有無の検出を行う（侵入者監視の開始）状態から中止する（侵入者監視の解除）状態に設定が変更されると、これをリモコンから受信した防犯中継器３から窓センサ２に、その旨を示す設定状態データが無線で送信され、反対に、不図示のリモコンによって、窓センサ２の設置された窓等からの侵入者の有無の検出を中止する（侵入者監視の解除）状態から行う（侵入者監視の開始）状態に設定が変更されると、これをリモコンから受信した防犯中継器３から窓センサ２に、その旨を示す設定状態データが無線で送信される。
【００３３】
そして、設定状態データを無線で受信した窓センサ２においては、不図示のリモコンによる設定状態が、窓センサ２の設置された窓等からの侵入者の有無の検出を中止する（侵入者監視の解除）状態になっている間は、センサ本体２１による監視対象の窓の開閉状態の検出は行われない。
【００３４】
一方、不図示のリモコンによる設定状態が、窓センサ２の設置された窓等からの侵入者の有無の検出を行う（侵入者監視の開始）状態になっている間は、センサ本体２１による監視対象の窓の開閉状態の検出が行われ、その検出結果を示す検出データが無線でガス漏れ警報器１に送信され、検出データが窓センサ２の設置箇所からの侵入者があることを示す内容であると、警報器本体１１がガス漏れの警報を出力するために有している音声報知機能を利用して、窓センサ２の設置箇所からの侵入者があることが音声出力により報知される。
【００３５】
このように本実施形態のセキュリティーシステムによれば、不図示のリモコンにより設定される、窓センサ２の設置された窓等からの侵入者の有無の検出を行う（侵入者監視の開始）か中止する（侵入者監視の解除）かの状態を、それを受信した防犯中継器３から窓センサ２に無線で通知するようにして、侵入者の有無の検出を中止するように設定されている間は、窓センサ２の検出データの無線送受信を一切行わずに済むように構成したので、窓センサ２の検出状態の収集動作に消費される電力を抑制して、駆動用の電池の長寿命化を図ることができる。
【００３６】
なお、本実施形態では請求項中のセキュリティーセンサが窓センサ２である場合について説明したが、例えばサムターンの回転によりドアの解錠、施錠を検出してドアの開閉を監視するドアセンサ等、防犯に関わるセンサであれば、窓センサ以外のものであってもよい。
【００３７】
また、本発明が適用される無線装置に接続される警報器は、上述した実施形態に示したガス漏れ警報器１に限らず、音声による警報出力機能を有したものであればよく、例えば火災警報器等の、警報状態の発生時に警報信号を出力するもの等でもよいが、警報状態を検出する機能を持たない、単に音声による警報出力機能を有している警報器であってもよいのは勿論のことである。
【００３８】
そして、警報器が行う警報状態や故障状態の報知は、音声によるものに限らず表示等によるものであってもよく、そのような警報器であっても本発明の適用対象となり得ることは、言うまでもない。
【００３９】
さらに、本実施形態では、ガス漏れ警報器１や窓センサ２、防犯中継器３に無線ユニット１２，２２が内蔵されている場合について説明したが、本発明は、ガス漏れ警報器１の警報器本体１１や窓センサ２のセンサ本体２１、防犯中継器３に対して無線ユニット１２，２２が外付けされている場合であっても適用可能である。
【００４０】
その場合にも、請求項中の警報器に相当するガス漏れ警報器１は、警報器本体１１と無線ユニット１２とを有して構成されることになり、同様に、請求項中の警報器に相当する窓センサ２は、センサ本体２１と無線ユニット２２とを有して構成されることになり、また、防犯中継器３についても、外付けの無線ユニットと共に請求項中の警報器を構成することになる。
【００４１】
また、本実施形態では、窓センサ２とガス漏れ警報器１との無線通信を、防犯中継器３を経由せずに直接行うように構成する場合について説明したが、窓センサ２とガス漏れ警報器１との無線通信を従来通り防犯中継器３を経由して行うようにしてもよく、その場合にも、侵入者監視を行うか中止するかの、防犯中継器３に設定された状態を窓センサ２に無線で通知し、侵入者監視の中止中は窓センサ２による検出データの無線送受信を一切行わないようにして、上述した実施形態と同様の効果を得ることができる。
【図面の簡単な説明】
【００４２】
【図１】本発明に係る無線装置の基本構成図である。
【図２】本発明の一実施形態に係るセキュリティーシステムを示すブロック図である。
【図３】図３のセキュリティーシステムにおけるガス漏れ警報器や窓センサに設けられる無線ユニットの構成例を示すブロック図である。
【図４】窓センサの無線ユニットのマイコン部が内部のＲＯＭに格納された制御プログラムにしたがって実行する処理のフローチャートである。
【図５】ガス漏れ警報器の無線ユニットのマイコン部が内部のＲＯＭに格納された制御プログラムにしたがって実行する処理のフローチャートである。
【符号の説明】
【００４３】
１  警報器
２  窓センサ
３  中継器
Ａ  設定状態出力手段
Ｂ  スリープ手段
Ｃ  セキュリティー警報出力手段
【図１】
2007094770.tif 000003
【図２】
2007094770.tif 000004
【図３】
2007094770.tif 000005
【図４】
2007094770.tif 000006
【図５】
2007094770.tif 000007